(57)【要約】【課題】ＤＶＤ−ＲＷの識別情報Ｂと，ＤＶＤ−Ｒの識別情報Ａ、識別情報Ｂを用いることが可能としたコピープロテクションに対応した記録媒体の記録再生装置を提供する。【解決手段】情報記録媒体は、コピー許可か不許可を示す識別情報を情報の書き換えが不可能で読み取り可能なリードインエリアに対してエンボス又はプリピットで記録されており、前記識別情報を書き込み可能な複数の領域には特定の固定値を書き込まれている。再生装置は、前記エンボス又はプリピットで記録された前記識別情報を読み取り保存する手段、前記複数の領域のいずれかの領域に書き込まれている情報を読み取る手段、前記読取った情報と前記保存してある識別情報とを比較したとき、不一致するか、または読取った情報が前記固定値と異なる内容であれば、再生を停止又は警告をする手段を有する。【選択図】図１
2005025932.tif 000002
【特許請求の範囲】
【請求項１】
追記又は書換え可能な情報記録媒体は、コピー許可か不許可を示す識別情報を、情報の書き換えが不可能で読み取り可能なリードインエリアに対してエンボス又はプリピットで記録されており、前記識別情報を書き込み可能な複数の領域が設けられているが、この書き込み可能な複数の領域には特定の固定値を書き込んでおき、ここに前記識別情報が変造されて書き込みされているか又は前記特定の固定値が異なるデータとなっているときは不正ディスクと判断可能にしており、
前記エンボス又はプリピットで記録された前記識別情報を読み取り保存する手段と、
前記複数の領域のいずれかの領域に書き込まれている情報を読み取る手段と、
前記読取った情報と前記保存してある識別情報とを比較したとき、不一致するか、または読取った情報が前記固定値と異なる内容であれば、再生を停止又は警告をする手段とを有した情報記録再生装置。
【請求項２】
前記固定値を読み取る手段は、バッファエリア内のボーダーインのゾーン又はデータエリア内のボーダーインのゾーンから読み取ることを特徴とする請求項１記載の情報再生装置。
【発明の詳細な説明】
【技術分野】
【０００１】
この発明は、記録再生可能な情報記録媒体とその記録再生装置に係るもので、特にコピープロテクションに対応した情報記録媒体及び記録再生装置に関するものである。
【背景技術】
【０００２】
記録再生可能なＤＶＤ（デジタルバーサタイルディスク）が、開発されている。これらのディスクには、レコーダブルＤＶＤ（以下ＤＶＤ−Ｒと称する）、リレコーダブルＤＶＤ（以下ＤＶＤ−ＲＷと称する）がある。これらの情報記録媒体には大容量のビデオデータ、オーディオデータ、コンピュータデータが記録可能なため、不正コピーを防止するためのメディア識別情報をこれらに情報記録媒体にあらかじめ記録しておくことが検討されている。
【０００３】
ＤＶＤ−ＲＯＭとＤＶＤ−Ｒの識別、ＤＶＤ−ＲＯＭとＤＶＤ−ＲＷの識別はこれら媒体に記録されているブックタイプの識別コードとグルーブウォブル検出が利用できる。これらの識別情報の他に、コンテンツを暗号化して記録するための暗号キー情報に対して、さらに別のメディア識別情報を利用することが検討されている。
【０００４】
このメディア識別情報は２つの識別情報を組み合わせて用いることが検討されており、情報記録媒体への記録形態も異なる形で記録される。いずれもその識別情報は情報記録媒体上で書換え、変更ができない形で形成されていなければならない。
【０００５】
これらの識別情報を識別情報Ａ、識別情報Ｂとすると、ＤＶＤ−ＲＷでは識別情報Ａは、ＮＢＣＡ（ノンバーストカッティング領域）の情報として記録されている。識別情報Ｂについてはまだ未定である。
【０００６】
この発明では、識別情報Ａは、ディスク自体の個別の識別情報であり、ディスクのシリアルナンバーなどがカッティングにより記録されている。識別情報Ｂは、少なくともディスクのライセンス情報であり、例えば、コピー禁止或いはコピー１回まで許可する或いはコピー２回まで許可するなどの情報とする。
【０００７】
リライタブルＤＶＤ（ＤＶＤ−ＲＡＭ）では識別情報ＡはＢＣＡ（バーストカッティング領域）の情報として記録されている。識別情報Ｂについてはリードイン領域の中にエンボス情報として記録できるようにしている。
【０００８】
ＤＶＤ−Ｒディスクについては識別情報Ａ、識別情報Ｂともまだ未定である。
【０００９】
特開平１１−８６４３６号公報では、ＤＶＤ−ＲＡＭのような記録可能なデジタル情報記録媒体に対して、この媒体から情報を再生する場合、電子透かし情報から抽出読み込まれた情報と記録媒体上に記録された情報を比較し、その情報がオリジナルであるかどうかの判定システムが記述されている。しかしこの方式をＤＶＤ―ＲまたはＤＶＤ−ＲＷディスク上で具体的にどう実現するかについては言及がない。
【００１０】
特開平１１−３５５７１１号公報では、多重化された複製防止信号について述べられているが、媒体上の識別情報の配置については言及がない。
【００１１】
特開平１０−１０５９７５公報では、ＢＣＡ（バーストカッティング領域）記録について述べられているが、それ以外の識別情報については言及がない。
【００１２】
特開平１０−１０５９７４号公報では、ＢＣＡ記録について述べられているが、それ以外の識別情報については言及がない。
【発明の開示】
【発明が解決しようとする課題】
【００１３】
上記したように、上記ＤＶＤ−ＲＷでは識別情報Ａは、ＮＢＣＡの情報として記録されているが、識別情報Ｂについてはまだ未定である。またＤＶＤ−Ｒディスクについては識別情報Ａ、識別情報Ｂともまだ未定である。
【００１４】
そこで、この発明は、ＤＶＤ−ＲＷの識別情報Ｂと，ＤＶＤ−Ｒの識別情報Ａ、識別情報Ｂを用いることが可能としたコピープロテクションに対応した情報記録媒体及びその記録方法及び記録再生装置を提供することを目的とする。
【課題を解決するための手段】
【００１５】
この発明の装置では、追記又は書換え可能な情報記録媒体は、コピー許可か不許可を示す識別情報を、情報の書き換えが不可能で読み取り可能なリードインエリアに対してエンボス又はプリピットで記録されており、前記識別情報を書き込み可能な複数の領域が設けられているが、この書き込み可能な複数の領域には特定の固定値を書き込んでおき、ここに前記識別情報が変造されて書き込みされているか又は前記特定の固定値が異なるデータとなっているときは不正ディスクと判断可能にしており、前記エンボス又はプリピットで記録された前記識別情報を読み取り保存する手段と、前記複数の領域のいずれかの領域に書き込まれている情報を読み取る手段と、前記読取った情報と前記保存してある識別情報とを比較したとき、不一致するか、または読取った情報が前記固定値と異なる内容であれば、再生を停止又は警告をする手段とを有する。また前記固定値を読み取る手段は、バッファエリア内のボーダーインのゾーン又はデータエリア内のボーダーインのゾーンから読み取る。
【発明の効果】
【００１６】
上記のように特定領域にエンボスあるいはプリ記録された識別情報Ｂを改造して別のディスク管理領域にコピーできないように、当該別のディスク管理領域には自動的に特定の固定値（例えばオールゼロ）を挿入するようにし、識別情報の不正な使用を防止している。
【発明を実施するための最良の形態】
【００１７】
以下、図面を参照して、この発明の実施の形態を説明する。
【００１８】
図１は、この発明に係る情報記録媒体（例えばＤＶＤ−Ｒ）のリードイン領域のデータ構造を示している。図１に示すようにリードイン領域には、ディスク情報１領域と、ディスク情報２の領域とがある。またディスク情報１の領域の次には、バッファ領域が確保されている。ディスク情報１、ディスク情報２を拡大して示した図の左側の数字は、相対的なセクタ番号を示している。なおリードイン領域で何も記述していないブランクの領域は、その他、ディスク管理に必要な情報（例えば初期値、参照コード等）を記録したり、予約やバッファ領域のために確保されている。
【００１９】
ディスク情報２の領域には、予約領域、ディスク製造者情報の領域、ディスク物理情報（最後のアドレスを含む）の領域、予約領域が確保されている。
【００２０】
またディスク情報１の領域には、ディスク製造者情報（ディスク情報１の内容と同じ内容）の領域、ディスク物理情報（最後のアドレスを含む）の領域、システム使用のための予約領域が確保されている。
【００２１】
ここでこの発明では、システム使用のための予約領域には、コピープロテクションのためにプリ記録またはエンボスによる情報が記録されている。
【００２２】
図２は、バッファ領域２の内容を示すものであり、図２（Ａ）に示すようにボーダーアウト領域と、ボーダーイン領域がある。
【００２３】
ボーダーアウト領域と、ボーダーイン領域は、図２（Ｂ）に示すように、ＥＣＣブロック単位で記述され、その中には、現在のボーダーアウト領域や次にくるボーダーイン領域のセクタアドレスが含まれている。図２（Ｃ）に示すように、特にボーダーイン領域には、さらにディスク情報３の領域が確保されている。ここには、先のディスク情報１と同様な内容の情報が記録可能である。
【００２４】
図３は、データの追記、記録が行われた場合に、データ領域中に書き込まれるボーダーゾーンの構成を示している。
【００２５】
データの追記で利用されるボーダー領域の構成は、図３（Ａ）に示すようにボーダーアウト領域と、ボーダーイン領域からなり、ボーダーイン領域には、図３（Ｂ）に示すようなアップデートされたディスク情報４（このフォーマットも先の図２に示した内容（ディスク情報１）と同じ）の内容が追記された最後に記録される。
【００２６】
ここでディスク情報１のユーザ使用のための予約の領域には、エンボスまたはプリ記録による情報が形成されているので、この記録してあるデータ自身の内容の書換え、変更はできない。したがって、この領域の予約領域に、エンボスまたはプリ記録により識別情報Ｂを記録することは識別情報Ｂに要求されるデータの書換え、変更ができないという要件を満足する。また識別情報Ｂをディスク情報１の領域に記録するようにすると、ディスク製造時に一度でエンボスまたはプリ記録で形成できるのでディスクの製造上も都合がよい。
【００２７】
上記したように識別情報Ｂをディスク情報Ｂとして、プリ記録またはエンボスによる記録とすることで、特定領域の識別情報Ｂ自身の内容を当該特定領域に書き換えしたり、内容を変更したりすることはできない。したがって、このディスクを用いる場合、このディスクの内容をコピー不許可にする場合、識別情報Ｂ自身にコピー不許可情報を書き込んでおけば、その目的を達成できることになる。つまりこの場合は、記録再生装置において、このＤＶＤ−Ｒを再生し、別のディスクにコピーしようとしたとき、記録再生装置が識別情報Ｂの内容からコピー不許可を判定することになる。
【００２８】
次にこの発明のさらに別の形態を説明する。
【００２９】
記録再生装置においては、ディスク情報１の領域中に識別情報Ｂを記録した場合、このディスク情報１が、別のディスク管理領域であるディスク情報２の領域、ディスク情報３の領域及びデータ領域内のディスク情報４の領域にアップデートした内容でコピーされることとなる。アップデートされるときは、基本的には予約領域にディスク情報Ｂがそのままで記録され、ディスク物理情報の領域に現在のボーダーアウトのアドレス、次のボーダーインのアドレスという形で追記される。
【００３０】
これらディスク情報の領域、ボーダー領域には、いずれも後からドライブによって記録できるので、識別情報Ｂを故意に変更、または変造した状態で、ディスク管理情報領域であるこれらの別領域に記録することが可能である。これは識別情報Ｂのセキュリティの面から問題である。
【００３１】
つまり、図４に示すように、リードインの領域に記録されているディスク情報１（識別情報Ｂ）をディスク情報２の領域やバッファ領域（リードイン内）の領域、さらにデータ領域中のボーダーインの領域に故意に変更、または変造した状態で記録できることは、このディスクの内容をさらにまた別のディスクにコピーできる可能性がある。これは、先にも説明したように識別情報に識別情報Ｂは、少なくともディスクのライセンス情報であり、例えば、コピー禁止或いはコピー１回まで許可する或いはコピー２回まで許可するなどの情報であるからである。
【００３２】
そのまま識別情報Ｂが変造されていると、ディスク情報１の内容を無視し、他のディスク情報２、３，４などに基きシステム管理を行なえばさらなる次のディスクへのコピーが可能となるからである。
【００３３】
そこで次に、本発明では、識別情報Ｂをディスク情報１領域にエンボスまたはプリ記録で形成し、まず、この領域の変更や書き換えを防止し、さらにディスク情報２やディスク情報３、４の領域へ識別情報Ｂを変造して記録することを禁止できるようにする。
【００３４】
そのために例えば、前述の図１で示されるディスク情報２の領域のセクタ０と、セクタ３から１５が予約となっているが、これを図５に示されるように予約となっているセクタをＡｌｌ  ００ｈというように固定値を記録することにする。
【００３５】
また、前述の図２に示されるボーダーインのユニットポジション２５から２９でディスク情報３となっているのを図６に示すようなディスク情報６とし、セクタ２から１５にはＡｌｌ  ００ｈというような特定の固定値を記録するものである。
【００３６】
図６は、バッファ領域２の内容を示すものであり、図６（Ａ）に示すようにボーダーアウト領域と、ボーダーイン領域がある。ボーダーアウト領域と、ボーダーイン領域は、図６（Ｂ）に示すように、ＥＣＣブロック単位で記述され、その中には、現在のボーダーアウト領域や次にくるボーダーイン領域のセクタアドレスが含まれている。図６（Ｃ）、図６（Ｄ）に示すように、特にボーダーイン領域には、さらにディスク情報６の領域が確保されている。
【００３７】
さらにまた、データ領域中のボーダーゾーンにおいても、図７に示すようにボーダーインに記述されるべきセクタ２から１５のディスク情報をディスク情報７とし、Ａｌｌ  ００ｈというような特定の固定値を記録する。図７（Ａ）はボーダーアウト、ボーダーインの配列を示し、図７（Ｂ）はボーダーアウト及びボーダーインのユニットポジションとその内容を示している。そして図７（Ｃ）にはボーダーインに記録されるディスク情報の内容を示している。
【００３８】
この結果、識別情報Ｂは、エンボスまたはプリ記録された領域（ディスク情報１）のみに記録され、それ以外の記録可能な領域には識別情報Ｂのコピーや変造内容が記録されないことになる。
【００３９】
つまり、この発明では、上記したようにディスク情報２や３に対応する位置及びボーダーインのディスク情報４に対応する位置のディスク情報として、図５、図６、図７に示すようにディスク情報５、６、７を記録するものである。この結果、ディスク情報２，３，４に対応する位置がすべて固定値となるために、ディスク情報１として記録されていた識別情報Ｂを、記録可能な位置にコピーや変造記録できないことになる。よって、このように識別情報Ｂが記録された情報をさらに別のディスクに記録しようとしても、ボーダーインの識別情報を判断して別のディスクにコピーを行うとしても、識別情報の内容が固定値であるために、判断する側は、エラーとなり、複製ができないことになる。
【００４０】
この発明は、上記の実施の形態に限定されるものではない。
【００４１】
上記の説明ではＤＶＤ−Ｒの形態とそのコピープロテクト記録について説明した。しかしこの発明は、ＤＶＤ−ＲＷについても同様に適用できるものである。
【００４２】
DVD-RWでは、図８に示すようにディスクのリードイン領域にディスク情報１Ａの領域とディスク情報２Ａの領域とがある。ディスク情報２Ａの域には、予約領域、ディスク製造者情報の領域、ディスク物理情報の領域、予約領域が確保されている。
【００４３】
またディスク情報１Ａの領域には、ここが読み取り不可能なエンボスで記録された場合には、その内容としてはディスク製造者情報が記録される。この場合は、実用上はこの部分を再生することもできないし、またこの部分にデータを記録することもできない。
【００４４】
しかしこの発明では、この領域を読み取り可能にするもので、情報は、読み取り可能であり、またコピープロテクションを得るためにエンボスで記録される。そのためディスク物理情報、ディスク製造者情報、さらには、システム使用のための予約エリアが設けられている。
【００４５】
また、このディスク情報１Ａの隣には、バッファエリアが設けられているが、ここには、図９に示すようなボーダーアウト、ボーダーインの領域が確保されている。そして、ボーダーインの領域には、ディスク情報３Ａを記録する領域が確保されている。
【００４６】
図９は、バッファ領域の内容を示すものであり、図９（Ａ）に示すようにボーダーアウト領域と、ボーダーイン領域がある。ボーダーアウト領域と、ボーダーイン領域は、図９（Ｂ）に示すように、ＥＣＣブロック単位で記述され、その中には、現在のボーダーアウト領域や次にくるボーダーイン領域のセクタアドレスが含まれている。図９（Ｃ）に示すように、特にボーダーイン領域には、さらにディスク情報３Ａの領域が確保されている。ここには、先のディスク情報１Ａと同様な内容の情報が記録可能である。
【００４７】
図１０は、データの追記、記録が行われた場合に、データ領域中に書き込まれるボーダーゾーンの構成を示している。
【００４８】
データの追記で利用されるボーダー領域の構成は、図１０（Ａ）に示すようにボーダーアウト領域と、ボーダーイン領域からなり、ボーダーイン領域には、図１０（Ｂ）に示すようなアップデートされたディスク情報４Ａ（このフォーマットも先の図８に示した内容（ディスク情報１Ａ）と同じ）の内容が記録された最後に記録される。
【００４９】
ここでディスク情報１Ａのユーザ使用のための予約の領域には、エンボスによる記録で情報が形成されているので、この記録してあるデータ自身の内容の書換え、変更はできない。したがって、この領域の予約領域に、エンボスにより識別情報Ｂを記録することは識別情報Ｂに要求されるデータの書換え、変更ができないという要件を満足する。また識別情報Ｂをディスク情報１Ａの領域に記録するようにすると、ディスク製造時に一度でエンボスまたはプリ記録で形成できるのでディスクの製造上も都合がよい。
【００５０】
上記したように識別情報Ｂをディスク情報Ｂとして、エンボスによる記録とすることで、特定領域の識別情報Ｂ自身の内容を当該特定領域に書き換えしたり、内容を変更したりすることはできない。したがって、このディスクを用いる場合、このディスクの内容をコピー不許可にする場合、識別情報Ｂ自身にコピー不許可情報を書き込んでおけば、その目的を達成できることになる。つまりこの場合は、記録再生装置において、このＤＶＤ−ＲＷを再生し、別のディスクにコピーしようとしたとき、記録再生装置が識別情報Ｂの内容からコピー不許可を判定することになる。
【００５１】
次にこの発明のさらに別の形態を説明する。
【００５２】
記録再生装置においては、ディスク情報１の領域中に識別情報Ｂを記録した場合、このディスク情報１Ａが、別のディスク管理領域であるディスク情報２Ａの領域、ディスク情報３Ａの領域及びデータ領域内のディスク情報４Ａの領域にアップデートした内容でコピーされることとなる。アップデートされるときは、基本的には予約領域にディスク情報Ｂがそのままで記録され、ディスク物理情報の領域に現在のボーダーアウトのアドレス、次のボーダーインのアドレスという形で追記される。
【００５３】
これらディスク情報の領域、ボーダー領域には、いずれも後からドライブによって記録できるので、識別情報Ｂを故意に変更、または変造した状態で、ディスク管理情報領域であるこれらの別領域に記録することが可能である。これは識別情報Ｂのセキュリティの面から問題である。
【００５４】
つまり、図４に示したように、リードインの領域に記録されているディスク情報１（識別情報Ｂ）をディスク情報２の領域やバッファ領域（リードイン内）の領域、さらにデータ領域中のボーダーインの領域に故意に変更、または変造した状態で記録できることは、このディスクの内容をさらにまた別のディスクにコピーできる可能性がある。これは、先にも説明したように識別情報に識別情報Ｂは、少なくともディスクのライセンス情報であり、例えば、コピー禁止或いはコピー１回まで許可する或いはコピー２回まで許可するなどの情報であるからである。
【００５５】
そのまま識別情報Ｂが変造されていると、ディスク情報１Ａの内容を無視し、他のディスク情報２Ａ、３Ａ，４Ａなどに基きシステム管理を行なえばさらなる次のディスクへのコピーが可能となるからである。
【００５６】
そこで次に、本発明では、識別情報Ｂをディスク情報１Ａ領域にエンボスで形成し、まず、この領域の変更や書き換えを防止し、さらにディスク情報２Ａやディスク情報３Ａ、４Ａの領域へ識別情報Ｂを変造して記録することを禁止できるようにする。
【００５７】
そのために例えば、前述の図８で示されるディスク情報２Ａの領域のセクタ０と、セクタ３から１５が予約となっているが、これを図１１に示されるように予約となっているセクタをＡｌｌ  ００ｈというように固定値を記録することにする。
【００５８】
また、前述の図９に示されるボーダーインのユニットポジション２５から２９でディスク情報３Ａとなっているのを図１２に示すようなディスク情報６とし、セクタ２から１５にはＡｌｌ  ００ｈというような特定の固定値を記録するものである。
【００５９】
図１２は、バッファ領域２の内容を示すものであり、図１２（Ａ）に示すようにボーダーアウト領域と、ボーダーイン領域がある。ボーダーアウト領域と、ボーダーイン領域は、図１２（Ｂ）に示すように、ＥＣＣブロック単位で記述され、その中には、現在のボーダーアウト領域や次にくるボーダーイン領域のセクタアドレスが含まれている。図１２（Ｃ）、図１２（Ｄ）に示すように、特にボーダーイン領域には、さらにディスク情報６の領域が確保されている。
【００６０】
さらにまた、データ領域中のボーダーゾーンにおいても、図１３に示すようにボーダーインに記述されるべきセクタ２から１５のディスク情報をディスク情報７とし、Ａｌｌ  ００ｈというような特定の固定値を記録する。図１３（Ａ）はボーダーアウト、ボーダーインの配列を示し、図１３（Ｂ）はボーダーアウト及びボーダーインのユニットポジションとその内容を示している。そして図１３（Ｃ）にはボーダーインに記録されるディスク情報の内容を示している。
【００６１】
この結果、識別情報Ｂは、エンボス記録された領域（ディスク情報１Ａ）のみに記録され、それ以外の記録可能な領域には識別情報Ｂのコピーや変造内容が記録されないことになる。
【００６２】
つまり、この発明では、上記したようにディスク情報２Ａや３Ａに対応する位置及びボーダーインのディスク情報４に対応する位置のディスク情報として、図５、図６、図７に示すようにディスク情報５Ａ、６Ａ、７Ａを記録するものである。この結果、ディスク情報２Ａ，３Ａ，４Ａに対応する位置がすべて固定値となるために、ディスク情報１Ａとして記録されていた識別情報Ｂを、記録可能な位置にコピーや変造記録できないことになる。よって、このように識別情報Ｂが記録された情報をさらに別のディスクに記録しようとしても、ボーダーインの識別情報を判断して別のディスクにコピーを行うとしても、識別情報の内容が固定値であるために、判断する側は、エラーとなり、複製ができないことになる。
【００６３】
この発明は、上記の実施の形態に限定されるものではない。
【００６４】
図８に示したように、ディスク情報１Ａ、２Ａには、ディスク製造者情報、ディスク物理情報、予約の各領域が確保されているが、両者では、ディスク製造者情報と、ディスク物理情報の配列が異なるのみである。
【００６５】
ディスク情報２Ａの中の識別情報Ｂが固定の値（Ａｌｌ  ００ｈ）に置き換わった後、再度ディスクが使用されて追記が行われたり、書き換えが行われる場合がある。そして書き込みデータの最後にボーダーゾーンを作成するような場合、ボーダーインには、ディスク情報２Ａの内容を書き込むようにしてもよい。このようにしても、ボーダーインのディスク情報中の識別情報Ｂは固定の値（Ａｌｌ  ００ｈ）になり、先の実施の形態と同様な効果を得ることができる。またディスク情報３Ａにも、ディスク情報２Ａの内容を書き込むようにしてもよい。このようにしても、ボーダーインのディスク情報中の識別情報Ｂは固定の値（Ａｌｌ  ００ｈ）になる。
【００６６】
次に、ＤＶＤ−Ｒ，ＤＶＤ−ＲＷに対応した記録再生可能なディスクドライブ装置、又は記録再生装置について説明する。
【００６７】
図１４には、記録再生装置の概略構成を示している。第１のディスク５１は、ディスクモータ５１により回転される。再生モードの系路から説明する。ディスク５１の情報が読み出されるときは、ピックアップ５３から出力されるレーザにより光学的に読み取られる。ピックアップ５３から出射されたレーザは、ディスク５１から反射され、この反射光は、光電変換素子により電気信号に変換される。この高周波信号は、高周波増幅器５４に入力されて増幅された後、信号処理部５５に入力される。信号処理部５５では、高周波信号の２値化処理、エラー訂正、復調、変調処理などが行われる。信号処理部５５では、再生用の信号処理手段、記録用の信号処理手段が備えられている。
【００６８】
復調された音声情報は、音声デコーダ５６に入力されてデコードされる。デコードされた音声信号は、音声アンプに供給される。また、復調された主映像情報は、主映像デコーダ５７でデコードされる。また映画の字幕などの情報をエンコードした副映像情報は、副映像デコーダ５８でデコードされる。主映像と副映像とは、合成器５９にて合成されディスプレイに供給される。
【００６９】
また信号処理部５５で復号された各種の管理情報は、システム制御部６０に入力されて解析され、ディスク種別や再生、記録のための判定情報となる。
【００７０】
６１は、第２のディスクであり、例えばバッファとして利用される。このディスク６１は、例えば、記録再生装置の内部に内臓されたハードディスクと同等であるものとする。このディスク６１の記録情報が再生されるときも同様である。第１のディスク６１は、ディスクモータ６１により回転される。ディスク６１の情報が読み出されるときは、ピックアップ６３から出力されるレーザにより光学的に読み取られる。ピックアップ６３から出射されたレーザは、ディスク６１から反射され、この反射光は、光電変換素子により電気信号に変換される。この高周波信号は、高周波増幅器６４に入力されて増幅された後、信号処理部５５に入力される。信号処理部５５では、高周波信号の２値化処理、復調処理などが行われる。
【００７１】
次に記録モードの系路について説明する。
【００７２】
例えば、第２のディスク６１に一旦バッファリングされている情報を第２のディスク５１に記録する場合には、記録モードに設定され、第２のディスク６１の情報が再生され、信号処理部５５に読み取られ、例えば８／１６あるいは８／１５変調処理が施される。そして、この変調信号は、増幅されて、ピックアップ５３のレーザダイオードのドライブ信号として用いられる。これにより、ディスク５１にディスク６１の情報が記録されることになる。
【００７３】
逆に、ディスク５１の情報を、ディスク６１に一旦格納する場合には、ディスク５１の情報が再生される。信号処理部５５に読み取られ、例えば８／１６あるいは８／１５変調処理が施される。そして、この変調信号は、増幅されて、ピックアップ６３のレーザダイオードのドライブ信号として用いられる。
【００７４】
図１５はこの発明の要部の一つを説明するために示したフローチャートであり、この動作を司る機能は、システム制御部６０のプログラムとして設定されている。
【００７５】
今、第２のディスク６１の情報がこの発明に係る第１のディスク（例えばＤＶＤ−ＲＷ）に記録されるものとする。
【００７６】
第２のディスク６１には、オリジナルのデータがそのまま記録されているものとする。記録が開始されると、まずコントロールデータ（ディスク情報１Ａ）が第１のディスク５１から読み取られる。ディスク情報１Ａには、識別情報Ｂ，ディスク製造者情報、ディスク物理情報が記録されており、システム制御部６０は、この内容から第１のディスクのタイプ、１回コピー可能なものかどうかなどを判断できる。また識別情報Ｂを用いて、データエリアに記録されるコンテンツを暗号化するための鍵情報を生成することもできる。（再生時に暗号化コンテンツを解凍するための鍵情報を生成することもできる）。ここで生成された鍵情報は、信号処理部５５に送られて、非暗号化コンテンツを暗号化するために利用されたり、また再生時には暗号化されたコンテンツを非暗号化されたコンテンツに解凍するために利用される（ステップＥ１，Ｅ２，Ｅ３）。
【００７７】
今、記録モードにおいて、識別情報Ｂが一回コピー可能を示すならば、ディスク６１に記録されているデータの書き込みを行い、ディスク６１のデータの読み取り終了、あるいは停止指令があると、先に説明した新しいディスク情報５Ａ，６Ａ，７Ａなどを生成する。また、記録位置の最終位置に応じて、最後のアドレス情報を生成し、元の最終アドレスを更新する（ステップＥ５）。次に、新しいディスク情報を、ボーダーインの所定位置へ記録する（ステップＥ６）。
【００７８】
このときは、ディスク情報５Ａ，６Ａ，７Ａに示したように識別情報Ｂは例えばオールゼロなどの固定値に書き換えられて記録される。
【００７９】
なお第２のディスク６１にも、識別情報Ｂが記録されているので、システム制御部６０は、第２のディスク６１の情報を再生する場合の鍵情報を識別情報Ｂを用いて作成し、暗号化コンテンツを解凍することができる（但しディスク６１に記録されているコンテンツが暗号化されている場合である）。
【００８０】
次に、上記したような方式でデータが記録された第１のディスク５１（例えばＤＶＤ−ＲＷ）が再生のために使用されるものとする。この場合は、先の再生系統でデータの再生が行われる。
【００８１】
次に、上記した方式でデータが記録された第１のディスク５１の内容が一旦、第２のディスク６１格納されているものとする。そして、新たな第１のディスク５１’にディスク６１の内容をコピー使用としたとする。この場合は、ボーダーインの識別情報Ｂは、ディスク情報５Ａ，６Ａ，７Ａに示したように記録されている。この結果、ディスク６１を再生したとしてもボーダーインの識別情報Ｂが固定値であるために、システム制御部６０は、識別情報Ｂが無い、または異常と判定し、コピー動作の停止または警告を行う（ステップＦ１，Ｆ２，Ｆ３，Ｆ４）。
【００８２】
次に、第２のディスク６１に格納されている情報が、オリジナルの情報であった場合、つまりディスク情報３，４、５に対応する位置に正式の識別情報Ｂが存在した場合は、ステップＦ３でこのことが判定され、コピーがスタートする（ステップＦ５）。
【００８３】
この発明は、上記の実施の形態に限定されるものではない。
【００８４】
ＤＶＤ−ＲまたはＤＶＤ−ＲＷに対応した記録可能な情報記録再生装置でＤＶＤ−ＲまたはＤＶＤ−ＲＷのディスクに情報を記録する場合、ディスク情報１の情報を再生し、識別情報Ｂの存在を確認する。識別情報Ｂが存在しない場合は、識別情報Ｂをサポートしていない、ディスクとしてデータ記録を行なう。また識別情報Ｂをサポートしていないディスクの場合、記録可能な他の領域（ディスク情報５，６，７や５Ａ，６Ｂ，７Ｃ）に記録する識別情報Ｂのデータは全て00hとする。
【００８５】
識別情報Ｂが存在した場合、識別情報Ｂのデータをメモリに保持し、ユーザデータを記録するときにデータを暗号化するための鍵情報として使用する。
【００８６】
識別情報Ｂのデータはメモリに保持されるが、そのデータ内容をディスクの書き込み可能な領域に記録することは禁止する。
【００８７】
図１７は、このようなディスクを再生したとき、ディスク情報１から再生した識別情報Ｂのデータはメモリに保持する（ステップＧ１，Ｇ２，Ｇ３）。そして記録可能な他の領域（ディスク情報５，６，７や５Ａ，６Ｂ，７Ｃ）から、メモリに保存している識別情報Ｂと同じ、あるいは全て00h以外のデータが検出された場合はそのディスクの再生を禁止し（Ｇ４，Ｇ５）、これ以外は再生を行う（Ｇ６）。
【００８８】
これにより、ディスク情報１としてプリ記録或いはエンボス記録されている識別情報Ｂの不正使用が防止される。
【００８９】
なおこの発明は上記の実施例に限定されるものではない。DVD-RまたはＤＶＤ−ＲＷに記録する情報を、ハードディスクあるいは別のディスクから取り込んで記録するものとして説明したが、有線或いは無線により配信される情報を取り扱う場合でも適用できることは勿論のことである。
【００９０】
以上説明したようにこの発明によれば、識別情報Ｂをユーザが書き換え出来ないようにエンボスでＤＶＤ−Ｒ及びＤＶＤ―ＲＷに記録し、その情報記録媒体には識別情報Ｂのコピーをユーザまたはその装置で複製または変更できないようにして、識別情報Ｂの不正な使用を防止することができる。ＤＶＤ−Ｒのような追記型記録媒体ではエンボスの代りにプリ記録で識別情報Ｂを記録してもよい。
【図面の簡単な説明】
【００９１】
【図１】この発明に係わるＤＶＤ−Ｒのリードインのデータ構造を示す説明図。
【図２】図１のバッファエリアのデータ構造を示す説明図。
【図３】図１のデータエリア内に形成されるボーダーゾーンのデータ構造を示す説明図。
【図４】ディスクとリードインとボーダーゾーンの関係を示す説明図。
【図５】この発明係るディスク情報のデータ内容の他の例を示す説明図。
【図６】この発明に係るバッファエリアのデータ構造の他の例を示す図。
【図７】この発明に係るデータエリア内に形成されるボーダーゾーンのデータ構造の他の例を示す説明図。
【図８】この発明に係わるDVD−RＷのリードインのデータ構造を示す説明図。
【図９】図８のバッファエリアのデータ構造を示す説明図。
【図１０】図８のデータエリア内に形成されるボーダーゾーンのデータ構造を示す説明図。
【図１１】この発明に係るディスク情報のデータ内容の他の例を示す説明図。
【図１２】この発明に係るバッファエリアのデータ構造の他の例を示す説明図。
【図１３】この発明に係るデータエリア内に形成されるボーダーゾーンのデータ構造の他の例を示す説明図。
【図１４】この発明の情報記録媒体の記録再生装置の構成を示す図。
【図１５】図１４の装置の動作例を示す説明図。
【図１６】同じく図１４の装置の動作例を示す説明図。
【図１７】同じく図１４の装置の動作例を示す説明図。
【符号の説明】
【００９２】
５１，６１…ディスク、５２，６２…ディスクモータ、５３，６３…ピックアップ、５４、６４…高周波増幅器、５５…信号処理部、５６…音声デコーダ、５７…主映像デコーダ、５８…副映像デコーダ、５９…合成器、６０…システム制御部。
【図１】
2005025932.tif 000003
【図２】
2005025932.tif 000004
【図３】
2005025932.tif 000005
【図４】
2005025932.tif 000006
【図５】
2005025932.tif 000007
【図６】
2005025932.tif 000008
【図７】
2005025932.tif 000009
【図８】
2005025932.tif 000010
【図９】
2005025932.tif 000011
【図１０】
2005025932.tif 000012
【図１１】
2005025932.tif 000013
【図１２】
2005025932.tif 000014
【図１３】
2005025932.tif 000015
【図１４】
2005025932.tif 000016
【図１５】
2005025932.tif 000017
【図１６】
2005025932.tif 000018
【図１７】
2005025932.tif 000019